(57)【要約】【課題】装置電源切断の際の冷却を、確実に、かつ効率的に行うことを目的とする。【解決手段】装置主要部と、装置主要部に取り付けられた温度センサと、温度測定手段と、冷却手段と、冷却制御手段と、タイマーと、前記各部分に電源を供給する電源とを備えた電子装置の冷却方法であって、電源切断指示により、装置主要部に供給している電源を切断すると同時に設定時間Ｔ１でタイマーを起動してタイマー割込みを待ち、設定時間Ｔ１経過後にタイマーからの割込みにより装置主要部の温度を測定し、測定した温度が所定値θ１以上の場合は設定時間Ｔ２でタイマーを起動してタイマー割込みを待ち、測定した温度が所定値θ１未満の場合は、温度測定手段と、冷却手段と、冷却制御手段と、タイマーとに供給している電源を切断する。【選択図】図１
2006085497.tif 000002
【特許請求の範囲】
【請求項１】
装置主要部と、装置主要部に取り付けられた温度センサと、温度測定手段と、冷却手段と、冷却制御手段と、タイマーと、前記各部分に電源を供給する電源とを備えた電子装置の冷却方法であって、
電源切断指示により、装置主要部に供給している電源を切断すると同時に設定時間Ｔ１でタイマーを起動してタイマー割込みを待ち、
タイマーからの割込みにより装置主要部の温度を測定し、
測定した温度が所定値θ１以上の場合は設定時間Ｔ２でタイマーを起動してタイマー割込みを待ち、
測定した温度が所定値θ１未満の場合は、温度測定手段と、冷却手段と、冷却制御手段と、タイマーとに供給している電源を切断することを特徴とする電子装置の冷却方法。
【請求項２】
請求項１に記載の電子装置の冷却制御方法であって、さらに、
測定した温度が所定値θ１未満の場合は、冷却手段に供給している電源を切断すると同時に設定時間Ｔ３でタイマーを起動してタイマー割込みを待ち、
タイマーからの割込みにより装置主要部の温度を測定し、
測定した温度が所定値θ２以上の場合は設定時間Ｔ２でタイマーを起動してタイマー割込みを待ち、
測定した温度が所定値θ２未満の場合は、温度測定手段と、冷却手段と、冷却制御手段と、タイマーとに供給している電源を切断することを特徴とする電子装置の冷却方法。
【請求項３】
装置主要部と、装置主要部に取り付けられた温度センサと、温度測定手段と、冷却手段と、冷却制御手段と、タイマーと、前記各部分に電源を供給する電源とを備えた電子装置の冷却システムであって、
該冷却制御手段は、電源切断指示を受け取り、装置主要部に供給している電源を切断すると同時に設定時間Ｔ１でタイマーを起動してタイマー割込みを待ち、
タイマーからの割込みにより温度測定手段を起動して温度センサが測定する装置主要部の温度を取得し、
取得した温度が所定値θ１以上の場合は設定時間Ｔ２でタイマーを起動してタイマー割込みを待ち、
取得した温度が所定値θ１未満の場合は、温度測定手段と、冷却手段と、冷却制御手段と、タイマーとに供給している電源を切断することを特徴とする電子装置冷却システム。
【請求項４】
コンピュータに、装置主要部と、装置主要部に取り付けられた温度センサと、温度測定手段と、冷却手段と、冷却制御手段と、タイマーと、前記各部分に電源を供給する電源とを備えた電子装置の冷却を実行させるプログラムであって、
電源切断指示を受け取るステップと、
装置主要部に供給している電源を切断すると同時に設定時間Ｔ１でタイマーを起動してタイマー割込みを待つステップと、
タイマーからの割込みより温度測定手段を起動して温度センサが測定した装置主要部の温度を取得するステップと、
取得した温度が所定値θ１以上の場合は設定時間Ｔ２でタイマーを起動してタイマー割込みを待つステップと、
取得した温度が所定値θ１未満の場合は、温度測定手段と、冷却手段と、冷却制御手段と、タイマーとに供給している電源を切断するステップとを有することを特徴とする電子装置冷却プログラム。
【発明の詳細な説明】
【技術分野】
【０００１】
本発明は、冷却方法、冷却システム、および冷却プログラムに関し、特に、電子装置の電源切断時の冷却を、確実に、かつ効率的に行う方法、およびシステムに関する。
【背景技術】
【０００２】
コンピュータ等の電子装置は発熱する部品を多く搭載するため、装置内の温度が上昇しやすい。電子装置には、温度の影響を受けやすい部分があり、適切な冷却を行わないと、動作不良や装置破壊を起こす恐れがある。このような装置の冷却を適切に行う冷却システムが開示されている（特許文献１参照）。
【特許文献１】特開平２−７３４１４号公報  特許文献１に記載の冷却システムでは、図５に示すごとく、演算装置５１を冷却するファン５５に接続した電源装置５６とサ−ビス処理装置５３との間に電圧制御装置５７を接続し、サ−ビス処理装置５３の制御信号に基づいて冷却状態を適宜切り換える。
【０００３】
図５に示す冷却システム例のフローチャートを図６に示す。
【０００４】
このシステムでは、サ−ビス処理装置５３は一定時間間隔で演算装置５１内に設置された温度センサ５２の検出値を読み取り、演算装置５１内の温度が設定温度よりも低い時には電圧制御装置５７に電源断の指令を発して電源装置５６の電源を切り、冷却フアン５５を停止させる。また、検出温度が室温よりある値以上高いと判断すると、電圧制御装置５７に低電圧の指令を発信して、フアン５５を低速回転に切り換える。また、演算装置５１内の温度よりも高い時には、サ−ビス処理装置５３は電圧制御装置５７に高電圧の指令を発信して、フアン５５を高速回転に切り換える。
【０００５】
次いで、サ−ビス処理装置５３が演算装置５１内の情報信号を読み取り、その情報をフロツピ−デイスク装置５８に異状発生の記録として書き込む。
【発明の開示】
【発明が解決しようとする課題】
【０００６】
しかし特許文献１に記載のシステムでは、冷却能力を上げても尚検出温度が設定温度より高い状態が持続すると、サービス処理装置５３は演算装置５１内の温度が最大冷却能力を超えた温度異常の発生と判断し、電源装置５４、電圧制御装置５７にそれぞれ制御信号として電源切断の指令を発信し、演算装置５１、サービス制御装置５３、および冷却ファン５５の電源供給を切断し、全ての動作を停止させる。
【０００７】
電子装置は一般に、高温に対して比較的耐久性が大きい部分と、高温に対して比較的耐久性が小さい部分とが混在している。このような装置で電源を切断し、同時に冷却ファンも停止させると、発熱の大きい部分に蓄積している熱が装置内全体に伝わり、高温に対して耐久力が小さい部分の寿命を短くし、場合によっては装置を破壊してしまう。
【０００８】
このような問題を回避するため、装置電源切断後も、タイマーにより、ある一定時間、冷却ファンの回転時間を延長させておく技術もある。しかし、装置の冷却状況は、周囲温度、装置の動作状態（発熱状態）により変動するため、一定時間を設定するタイマーで想定されるあらゆる条件に対応するためには、安全のために、無駄を承知で、タイマーの時間を長めに設定する必要があり、効率が悪い。
【０００９】
本発明は、装置電源切断の際の冷却を、確実に、かつ効率的に行うことを目的とする。
【課題を解決するための手段】
【００１０】
第一の発明は、装置主要部と、装置主要部に取り付けられた温度センサと、温度測定手段と、冷却手段と、冷却制御手段と、タイマーと、前記各部分に電源を供給する電源とを備えた電子装置の冷却方法であって、電源切断指示により、装置主要部に供給している電源を切断すると同時に設定時間Ｔ１でタイマーを起動してタイマー割込みを待ち、設定時間Ｔ１経過後にタイマーからの割込みにより装置主要部の温度を測定し、測定した温度が所定値θ１以上の場合は設定時間Ｔ２でタイマーを起動してタイマー割込みを待ち、測定した温度が所定値θ１未満の場合は、温度測定手段と、冷却手段と、冷却制御手段と、タイマーとに供給している電源を切断することを特徴とする。
【００１１】
第二の発明は、第一の発明に記載の電子装置の冷却方法であって、さらに、測定した温度が所定値θ１未満の場合は、冷却手段に供給している電源を切断すると同時に設定時間Ｔ３でタイマーを起動してタイマー割込みを待ち、設定時間Ｔ３経過後にタイマーからの割込みにより装置主要部の温度を測定し、測定した温度が所定値θ２以上の場合は設定時間Ｔ２でタイマーを起動してタイマー割込みを待ち、測定した温度が所定値θ２未満の場合は、温度測定手段と、冷却手段と、冷却制御手段と、タイマーとに供給している電源を切断することを特徴とする。
【００１２】
第三の発明は、装置主要部と、装置主要部に取り付けられた温度センサと、温度測定手段と、冷却手段と、冷却制御手段と、タイマーと、前記各部分に電源を供給する電源とを備えた電子装置の冷却システムであって、該冷却制御手段は、電源切断指示を受け取り、装置主要部に供給している電源を切断すると同時に設定時間Ｔ１でタイマーを起動してタイマー割込みを待ち、設定時間Ｔ１経過後にタイマーからの割込みにより温度測定手段を起動して温度センサが測定する装置主要部の温度を取得し、取得した温度が所定値θ１以上の場合は設定時間Ｔ２でタイマーを起動してタイマー割込みを待ち、取得した温度が所定値θ１未満の場合は、温度測定手段と、冷却手段と、冷却制御手段と、タイマーとに供給している電源を切断することを特徴とする。
【００１３】
第四の発明は、コンピュータに、装置主要部と、装置主要部に取り付けられた温度センサと、温度測定手段と、冷却手段と、冷却制御手段と、タイマーと、前記各部分に電源を供給する電源とを備えた電子装置の冷却を実行させるプログラムであって、電源切断指示を受け取るステップと、装置主要部に供給している電源を切断すると同時に設定時間Ｔ１でタイマーを起動してタイマー割込みを待つステップと、タイマーからの割込みより温度測定手段を起動して温度センサが測定した装置主要部の温度を取得するステップと、取得した温度が所定値θ１以上の場合は設定時間Ｔ２でタイマーを起動してタイマー割込みを待つステップと、取得した温度が所定値θ１未満の場合は、温度測定手段と、冷却手段と、冷却制御手段と、タイマーとに供給している電源を切断するステップとを有することを特徴とする。
【発明の効果】
【００１４】
本発明により、電源を切断した後も所定時間冷却を続けて装置内温度の上昇を抑えるとともに、装置主要部の温度が所定値以下になったことを確認して、比較的短時間の所定時間経過後に冷却手段を停止することで、無駄に冷却を避けることが可能となる。
【００１５】
また、冷却手段停止後、装置内温度が所定値以上に上昇した場合は、再度冷却を行うことを可能としている。これにより、装置の動作状況、環境状況の変動により、必要とする冷却時間が変動しても、最適な冷却を行う事が可能となる。
【発明を実施するための最良の形態】
【００１６】
図１は、本発明による電子装置冷却システム基本構成例を示し、図２は、該基本構成例の冷却制御手段５のフローチャートを示す。なお、本システムで使用する所定値は、予め、それぞれ以下の条件を目安に設定しておくものとする。
【００１７】
所定温度θ１：冷却目標温度（放置しても、装置寿命に影響を与えないと考えられる最高温度よりも一定値低い温度、一例：４５度）。
【００１８】
タイマー設定値Ｔ１：平均的な冷却条件で、電源切断から所定温度θ１まで冷却するために要する時間。
【００１９】
タイマー設定値Ｔ２：電源切断からＴ１冷却後に、温度がθ１まで下がらなかった場合の、追加冷却時間。（一例：１分）
また、図１において、Ｐ１は、装置主要部１に供給されている電源を表し、Ｐ２は、装置主要部１以外の各部分に供給されている電源を表すものとする。
【００２０】
冷却制御手段５は、図示しない電源スイッチ押下等により発生する電源切断指示を受け取り、電源切断処理を開始する。ステップＳ２１で、装置主要部１に供給している電源Ｐ１の切断を指示する信号を、信号線Ｃ１経由で電源７に送ると同時に、設定時間Ｔ１でタイマー６を起動してタイマー割込み待ちとなり、電源７は、電源Ｐ１を切断する。
【００２１】
ステップＳ２２でタイマー６からの割込みを受け付けると、ステップＳ２３に進み、冷却制御手段５は温度測定手段３を起動し、温度測定手段３は温度センサ２で測定した温度データθ０を冷却制御手段５に送る。
【００２２】
冷却制御手段５は、ステップＳ２４で、取得した温度データθ０と予め設定したθ１とを比較し、取得した温度θ０がθ１以上の場合はステップＳ２５に進み、設定時間Ｔ２でタイマー６を起動してステップＳ２２に戻りタイマー割込み待ちとなり、取得した温度θ０がθ１未満の場合はステップＳ２６に進み、装置主要部１以外に供給している電源Ｐ２の、切断を指示する信号を、信号線Ｃ１経由で電源７に送る。電源７は、電源Ｐ２を切断し、処理を終了する。
【００２３】
なお、ステップＳ２５で設定した設定時間Ｔ２経過後のタイマー６からの割込みを受け付けると、冷却制御手段５は、上記処理を繰り返し、ステップＳ２６に進んだ所で処理終了となる。
【実施例１】
【００２４】
図３は、本発明による実施例１を示し、図４は、実施例１の冷却制御手段５のフローチャートを示す。なお、実施例１では、基本構成例の説明で用いた所定値の他に、以下に示す所定値を予め設定しておくものとする。
【００２５】
所定温度θ２：放置しても、装置寿命に影響を与えないと考えられる温度。（一例：５０度）
タイマー設定値Ｔ３：Ｔ１、或いは、Ｔ２冷却後、温度がθ１以下に下がった後に温度がθ２まで上がらなかった事を確認する時間。（一例：１０分）
また、図３において、Ｐ３は、冷却手段４に供給されている電源を表し、Ｐ４は、装置主要部１、冷却手段４以外の各部分に供給されている電源を表すものとする。
【００２６】
冷却制御手段５は、図示しない電源スイッチ押下等により発生する電源切断指示を受け取り、電源切断処理を開始する。ステップＳ４１で、装置主要部１に供給している電源Ｐ１の切断を指示する信号を、信号線Ｃ１経由で電源７に送ると同時に、設定時間Ｔ１でタイマー６を起動してタイマー割込み待ちとなり、電源７は、電源Ｐ１を切断する。
【００２７】
ステップＳ４２でタイマー６からの割込みを受け付けると、ステップＳ４３に進み、冷却制御手段５は温度測定手段３を起動し、温度測定手段３は温度センサ２で測定した温度データθ０を冷却制御手段５に送る。
【００２８】
冷却制御手段５は、ステップＳ４４で、取得した温度データθ０と予め設定したθ１とを比較し、取得した温度θ０がθ１以上の場合はステップＳ４５に進み、設定時間Ｔ２でタイマー６を起動してステップＳ４２に戻りタイマー割込み待ちとなり、取得した温度θ０がθ１未満の場合はステップＳ４６に進み、冷却手段４に供給している電源Ｐ３の、切断を指示する信号を信号線Ｃ１経由で電源７に送ると同時に、設定時間Ｔ３でタイマー６を起動し、タイマー割込み待ちに入る（ステップＳ４７）。電源７は、電源Ｐ３を切断する。
【００２９】
ステップＳ４７で（設定時間Ｔ３経過後の）タイマー６からの割込みを受け付けると、ステップＳ４８に進み、冷却制御手段５は温度測定手段３を起動し、温度測定手段３は温度センサ２で測定した温度データθ０を冷却制御手段５に送る。
【００３０】
冷却制御手段５は、ステップＳ４９で、取得した温度データθ０と予め設定したθ２とを比較し、取得した温度θ０がθ２以上の場合はステップＳ５０に進み、冷却手段４に供給している電源Ｐ３の、投入を指示する信号を、信号線Ｃ１経由で電源７に送ると同時に、設定時間Ｔ２でタイマー６を起動し、ステップＳ４２に戻り、タイマー割込み待ちに入り、電源７は、電源Ｐ２を投入する。取得した温度θ０がθ２未満の場合はステップＳ５１に進み、装置主要部１、冷却手段４以外の各部分に供給されている電源Ｐ４の、切断を指示する信号を、信号線Ｃ１経由で電源７に送る。電源７は、電源Ｐ４を切断し、処理を終了する。
【００３１】
なお、ステップＳ４２で、ステップＳ５０で設定した設定時間Ｔ２経過後のタイマー６からの割込みを受け付けると、冷却制御手段５は、上記処理を繰り返し、ステップＳ５１に進んだ所で処理終了となる。
【産業上の利用可能性】
【００３２】
以上説明したごとく、本発明により、装置の動作状況、環境状況の変動により、必要とする冷却時間が変動しても、最適な冷却を行う事が可能となる。
【図面の簡単な説明】
【００３３】
【図１】本発明による電子装置冷却システム基本構成例
【図２】本発明の基本構成例のフローチャート
【図３】本発明による電子装置冷却システム実施例１
【図４】本発明の実施例１のフローチャート
【図５】従来の冷却システム構成例
【図６】従来の冷却システムのフローチャート例
【符号の説明】
【００３４】
１    装置主要部
２    温度センサ
３    温度測定手段
４    冷却手段
５    冷却制御手段
６    タイマー
７    電源
【図１】
2006085497.tif 000003
【図２】
2006085497.tif 000004
【図３】
2006085497.tif 000005
【図４】
2006085497.tif 000006
【図５】
2006085497.tif 000007
【図６】
2006085497.tif 000008